(57)【要約】【課題】第１柱状体及び第２柱状体を互い違いとなるように連結する構造であっても、外部から雨が浸入するのを極力防止し、また浸入してもできる限り乾燥し易くして腐食するのを防止すること。【解決手段】基礎体２に固定された土台１の第１嵌合溝３に第１柱状体５の第１嵌合部７を嵌合させると共に第２嵌合溝４に第２嵌合部８を嵌合させて取り付ける。このように取り付けた状態で、前記第１柱状体５の右側面５Ｂのほぞ溝１０Ｂに第２柱状体６の左側面１３Ａの内方のほぞ１５Ａ１を嵌合させると共に、前記第１柱状体５の右側面５Ｂの外方のほぞ１１Ｂ２を前記第２柱状体６の左側面１３Ａのほぞ溝１４Ａに嵌合させる。【選択図】図５
2019023410.tif 000002
【特許請求の範囲】
【請求項１】
基礎体に固定される土台に取り付けられる木造家屋の耐力壁において、
木材で作製された前記土台の長手方向に沿って所定間隔毎に前記土台に第１嵌合溝を形成すると共に前記第１嵌合溝と平行して前記土台の外側面に第２嵌合溝を形成し、
前記木材で作製された第１柱状体の対向する両側面の中間位置にほぞ溝及びこのほぞ溝を挟んで両側にほぞを形成すると共に、前記第１柱状体の下部に前記土台の第１嵌合溝に嵌合する第１嵌合部及び前記第２嵌合溝に嵌合する第２嵌合部を形成し、
前記木材で作製された第２柱状体の対向する両側面の中間位置にほぞ溝及びこのほぞ溝を挟んで両側にほぞを形成し、
前記土台の第１嵌合溝に前記第１柱状体の前記第１嵌合部を嵌合させると共に前記第２嵌合溝に前記第２嵌合部を嵌合させて前記土台に前記第１柱状体を取り付けた状態において、前記第１柱状体の一方の面（右）に形成された前記ほぞ溝に前記第２柱状体の他方の面（左）に形成された一方の前記ほぞ（内）を嵌合させると共にこの第２柱状体の一方の面（右）に形成された前記ほぞ溝に次の第１柱状体の他方の面（左）に形成された他方の前記ほぞ（外）を嵌合させるようにして、次々に前記第１柱状体及び前記第２柱状体を互い違いとなるように連結するようにして前記土台に取り付けることを特徴とする木造家屋の耐力壁。
【請求項２】
前記第１柱状体の前記第２嵌合部の下部は前記基礎体の前方に延びるように形成されると共に前記第２柱状体の前下部に前記基礎体の前方に延びるような垂下部を形成したことを特徴とする請求項１に記載の木造家屋の耐力壁。
【請求項３】
前記第１柱状体及び前記第２柱状体を互い違いとなるように連結するようにして前記土台に取り付けた状態において、前記第１柱状体の前記第２嵌合部の内側面と前記土台の前記第２嵌合溝の凹部を形成する最奥面との間に空間を形成するようにしたことを特徴とする請求項２に記載の木造家屋の耐力壁。
【請求項４】
前記第１柱状体及び前記第２柱状体の側面には、上下方向に延びる複数条の凹凸部を形成したことを特徴とする請求項１に記載の木造家屋の耐力壁。
【発明の詳細な説明】
【技術分野】
【０００１】
本発明は、基礎体に固定される土台に取り付けられる木造家屋の耐力壁に関する。
【背景技術】
【０００２】
複数本連結される柱状体を利用しても、強度が高く、地震に強い耐力壁は、例えば本特許出願人による特許文献１にて提案されている。即ち、木材で作製された柱状体の対向する両側面の中間位置にほぞ溝を形成すると共にこのほぞ溝を挟んで両側にほぞを形成して、一の柱状体の一方の面に形成された前記ほぞ溝に他の柱状体の他方の面に形成された一方のほぞを嵌合させ、この他の柱状体の一方の面に形成された前記ほぞ溝に次の他の柱状体の他方の面に形成された他方のほぞを嵌合させるようにして、次々に前記柱状体群を互い違いとなるように連結するようにして前記土台に取り付ける技術が提案されている。
【先行技術文献】
【特許文献】
【０００３】
【特許文献１】特許第６１２８３８２号公報
【発明の概要】
【発明が解決しようとする課題】
【０００４】
しかしながら、前述したように、前記一の柱状体の一方の面に形成された前記ほぞ溝に前記他の柱状体の他方の面に形成された一方のほぞを嵌合させ、この他の柱状体の一方の面に形成された前記ほぞ溝に次の他の柱状体の他方の面に形成された他方のほぞを嵌合させるようにして、次々に前記柱状体群を互い違いとなるように連結する構造であり、連結する箇所、即ち前記柱状体同志の接触する箇所や前記柱状体と前記土台との間から雨が浸入（侵入）し易く、また浸入すると乾燥しにくく、木材で構成されているために、腐食という心配がある。
【０００５】
そこで本発明は、上記問題点に鑑み、第１柱状体と第２柱状体を互い違いとなるように連結する構造であっても、外部から雨が浸入するのを極力防止し、また浸入してもできる限り乾燥し易くして腐食するのを防止することを目的とする。
【課題を解決するための手段】
【０００６】
このため第１の発明は、基礎体に固定される土台に取り付けられる木造家屋の耐力壁において、
木材で作製された前記土台の長手方向に沿って所定間隔毎に前記土台に第１嵌合溝を形成すると共に前記第１嵌合溝と平行して前記土台の外側面に第２嵌合溝を形成し、
前記木材で作製された第１柱状体の対向する両側面の中間位置にほぞ溝及びこのほぞ溝を挟んで両側にほぞを形成すると共に、前記第１柱状体の下部に前記土台の第１嵌合溝に嵌合する第１嵌合部及び前記第２嵌合溝に嵌合する第２嵌合部を形成し、
前記木材で作製された第２柱状体の対向する両側面の中間位置にほぞ溝及びこのほぞ溝を挟んで両側にほぞを形成し、
前記土台の第１嵌合溝に前記第１柱状体の前記第１嵌合部を嵌合させると共に前記第２嵌合溝に前記第２嵌合部を嵌合させて前記土台に前記第１柱状体を取り付けた状態において、前記第１柱状体の一方の面（右）に形成された前記ほぞ溝に前記第２柱状体の他方の面（左）に形成された一方の前記ほぞ（内）を嵌合させると共にこの第２柱状体の一方の面（右）に形成された前記ほぞ溝に次の第１柱状体の他方の面（左）に形成された他方の前記ほぞ（外）を嵌合させるようにして、次々に前記第１柱状体及び前記第２柱状体を互い違いとなるように連結するようにして前記土台に取り付けることを特徴とする。
【０００７】
第２の発明は、第１の発明において、前記第１柱状体の前記第２嵌合部の下部は前記基礎体の前方に延びるように形成されると共に前記第２柱状体の前下部に前記基礎体の前方に延びるような垂下部を形成したことを特徴とする。
【０００８】
第３の発明は、第２の発明において、前記第１柱状体及び前記第２柱状体を互い違いとなるように連結するようにして前記土台に取り付けた状態において、前記第１柱状体の前記第２嵌合部の内側面と前記土台の前記第２嵌合溝の凹部を形成する最奥面との間に空間を形成するようにしたことを特徴とする。
【０００９】
第４の発明は、第１の発明において、前記第１柱状体及び前記第２柱状体の側面には、上下方向に延びる複数条の凹凸部を形成したことを特徴とする。
【発明の効果】
【００１０】
本発明は、第１柱状体及び第２柱状体を互い違いとなるように連結する構造であっても、外部から雨が浸入するのを極力防止し、また浸入してもできる限り乾燥し易くして腐食するのを防止することができる。
【図面の簡単な説明】
【００１１】
【図１】ログハウスの外側から見た土台の斜視図である。
【図２】第１柱状体の斜視図である。
【図３】第２柱状体の斜視図である。
【図４】土台に第１柱状体を取り付けた状態をログハウスの外側から見た斜視図である。
【図５】土台に第１柱状体を取り付け、更にこの第１柱状体に第２柱状体を取り付けた状態をログハウスの外側から見た斜視図である。
【図６】図５のＡ−Ａ断面図である。
【図７】図５のＢ−Ｂ断面図である。
【図８】他の実施形態の第１柱状体及び第２柱状体の連結した状態の横断平面せる切り口を示す図である。
【発明を実施するための形態】
【００１２】
以下、木造家屋における土台１と桁（図示せず）とに取り付けられる面構造体である耐力壁について、図面に基づいて詳述する。前記耐力壁は地震時の横揺れや、台風時の横風などの横から来る力を支えられる壁であり、木造家屋に使用される。この面構造体である耐力壁は、前記土台１上に複数本の第１柱状体５、第２柱状体６を順次互い違いとなるように連結結合させて構成する。
【００１３】
先ず、前記土台１は木材で作製され、例えばコンクリートで作製されて水平方向に延びた基礎体２上に沿って、前記土台１の外側面が前記基礎体２の外側面より外方へ、例えば１６ｍｍ突出するように載置されて、例えば前記基礎体２にアンカーボルトを埋め込み、このアンカーボルトを前記土台１に挿通させて、前記基礎体２に前記土台１を固定させる。
【００１４】
前記木造家屋である簡易型のハウス（家屋）であるログハウス（図示せず）の外側から見た前記土台１の斜視図である図１に示すように、前記土台１は四角柱状を呈して平面視横長状で、平面視において、横の寸法は前記ログハウスの大きさに応じた寸法であり、縦の寸法は寸法Ｌ１（例えば、１５０ｍｍ）で、高さの寸法は寸法Ｌ２（例えば、１１７ｍｍ）である。
【００１５】
そして、前記ログハウス内側の前記土台１の内側端部から寸法Ｌ３（例えば、４６ｍｍ）の間隔を存して、平面視した縦の寸法Ｌ４（例えば、３１ｍｍ）、横の寸法Ｌ５（例えば、１０６ｍｍ）の四角形状の第１嵌合溝３を、上下方向の寸法が前記高さの寸法Ｌ２（例えば、１５０ｍｍ）となるように貫通させるように形成する。このような前記第１嵌合溝３を前記土台１の長手方向に沿って寸法Ｌ６（例えば、８３ｍｍ）の間隔毎に複数個形成する。なお、前記耐力壁が完成した際には、前記土台１の内側端部からの前記寸法Ｌ３（例えば、４６ｍｍ）の部分の領域は、その上に床材（図示せず）を載置する支承部分１Ａとなる。
【００１６】
また、前記第１嵌合溝３から外側端部に向けて寸法Ｌ７（例えば、５６ｍｍ）の間隔を存した位置に、前記ログハウス外側の前記土台１の外側端部までの平面視の縦の寸法Ｌ８（例えば、１７ｍｍ）、前記横の寸法Ｌ５（例えば、１０６ｍｍ）の第２嵌合溝４を、前記ログハウス外側の前記土台１の外側面を上下方向に切除して形成する。即ち、横長の前記第１嵌合溝３と前記第２嵌合溝４とは前記寸法Ｌ７（例えば、５６ｍｍ）の間隔を存して互いに平行に形成される。
【００１７】
次に、図２、図４及び図６に基づいて、平面視前記寸法Ｌ５（例えば、１０６ｍｍ）より僅か短い寸法Ｌ９（例えば、１０５ｍｍ）の正方形状を呈して概ね正四角柱である第１柱状体５について、説明する。先ず、前記第１柱状体５は面構造体である前記耐力壁を構成する木材で作製されたもので、その下部に形成された第１嵌合部７が前記第１嵌合溝３に嵌合すると共に同じく下部に形成された第２嵌合部８が前記第２嵌合溝４に嵌合することにより、前記土台１に取り付けられる。
【００１８】
即ち、前記第１柱状体５下部の内側端部に、底面視横の寸法が前記寸法Ｌ９（例えば、１０５ｍｍ）、縦の寸法が前記寸法Ｌ４（例えば、３０ｍｍ）より僅か短い寸法Ｌ１０（例えば、３０ｍｍ）で、高さの寸法が前記土台１の前記高さの寸法と同じである前記寸法Ｌ２（例えば、１１７ｍｍ）の前記第１嵌合部７が上下方向に伸長して形成される。また、前記第１柱状体５下部の外側端部に、底面視横の寸法が前記寸法Ｌ９（例えば、１０５ｍｍ）、縦の寸法が前記第２嵌合溝４の深さ寸法と同じ寸法Ｌ８（例えば、１７ｍｍ）で、高さの寸法が前記寸法Ｌ２（例えば、１１７ｍｍ）より例えば１０ｍｍ長い寸法Ｌ１１（例えば、１２７ｍｍ）の前記第２嵌合部８が上下方向に伸長して形成される。前記第１柱状体５の前記第１嵌合部７と前記第２嵌合部８との対向する面間に空間Ｓ１が形成されることになる。
【００１９】
この場合、前記基礎体２に固定された前記土台１の前記第１嵌合溝３に前記第１柱状体５の前記第１嵌合部７を嵌合させると共に前記第２嵌合溝４に前記第２嵌合部８を嵌合させて取り付けると、図４及び図６に示すような状態となる。従って、前記第１柱状体５の前面は前記土台１の前面より、例えば１ｍｍから２ｍｍ突出することとなり、前記第１柱状体５の前記第２嵌合部８下部は１０ｍｍだけ前記基礎体２の前面に位置するように垂れ下がることとなって、前記土台１と前記基礎体２との間から雨が浸入（侵入）することが防止できると共に前記第１柱状体５と前記土台１との間からも雨が浸入することが防止できる。なお、前記土台１の前記第１嵌合溝３に前記第１柱状体５の前記第１嵌合部７が嵌合する場合において、前記第１嵌合溝３の内方の溝形成面に前記第１嵌合部７の内側面が接触するように嵌合すると１ｍｍだけ、前記第１柱状体５の前面は前記土台１の前面より突出することとなり、また前記第１嵌合溝３の外方の溝形成面に前記第１嵌合部７の外側面が接触するように嵌合すると２ｍｍだけ、前記第１柱状体５の前面は前記土台１の前面より突出することとなる。
【００２０】
また、前記第１柱状体５の前面は前記土台１の前面より１ｍｍから２ｍｍ突出すると共に、前記第２嵌合部８の厚さと前記第２嵌合溝４の深さとが同じ寸法の前記寸法Ｌ８（例えば、１７ｍｍ）であるために、前記第２嵌合部８の内側面と前記第２嵌合溝４の凹部を形成する最奥面（外側面）との間に奥行が１ｍｍから２ｍｍの空間Ｓ２が形成され、この空間Ｓ２の存在により前記第１柱状体５と前記土台１との間に雨が浸入しても雨滴は下方へ移動すると共に乾燥し易く、前記土台１及び前記第１柱状体５を木材で製作しても腐食が防止でき、耐久性が向上できる。
【００２１】
なお、前記第１柱状体５の連結側の対向する両側面５Ａ、５Ｂにおける中央部には長手方向に沿ってほぞ溝１０Ａ、１０Ｂがそれぞれ形成されている。そして、前記ほぞ溝１０Ａ、１０Ｂは平面視四角形状を呈しており、前記ほぞ溝１０Ａ、１０Ｂの横（溝の深さ方向と交差する方向）の寸法Ｌ１２はこの前記ほぞ溝１０Ａ、１０Ｂが形成されることにより残った両隣の各ほぞ１１Ａ１、１１Ａ２、１１Ｂ１、１１Ｂ２の横の寸法Ｌ１３とほぼ同じ寸法であるが、前記寸法Ｌ１２の方が寸法Ｌ１３より僅かに長く形成する。即ち、前記ほぞ溝１０Ａ、１０Ｂの前記横の寸法Ｌ１２（例えば、３５．５ｍｍ）は前記第１柱状体５の各側面５Ａ、５Ｂの平面視縦横の前記寸法Ｌ９（例えば、１０５ｍｍ）の約１／３（３分の１）の３５ｍｍより僅か長くし、且つ前記ほぞ１１Ａ１、１１Ａ２、１１Ｂ１、１１Ｂ２の前記横の寸法Ｌ１３（例えば、３４．７５ｍｍ）は前記寸法Ｌ９（例えば、１０５ｍｍ）の約１／３の３５ｍｍより僅かに短くして、前記ほぞ溝１０Ａ、１０Ｂの前記横の寸法Ｌ１２の方を前記ほぞ１１Ａ１、１１Ａ２、１１Ｂ１、１１Ｂ２の横の寸法Ｌ１３より僅かに長く形成する。
【００２２】
また、前記ほぞ溝１０Ａ、１０Ｂの深さ寸法Ｌ１４は、このほぞ溝１０Ａ、１０Ｂが形成されることにより残った各ほぞ１１Ａ１、１１Ａ２、１１Ｂ１、１１Ｂ２の嵌合する方向の寸法と同じ寸法である。
【００２３】
次に、図３、図５及び図７に基づいて、平面視前記寸法Ｌ５（例えば、１０６ｍｍ）より僅か短い寸法Ｌ９（例えば、１０５ｍｍ）の正方形状を呈して概ね正四角柱である前記第２柱状体６について、説明する。先ず、前記第２柱状体６は面構造体である前記耐力壁を構成する木材で作製されたもので、前記土台１に取り付けられた前記第１柱状体５の一側面又は両側面に連結結合される。
【００２４】
前記第２柱状体６の連結側の対向する両側面１３Ａ、１３Ｂにおける中央部には長手方向に沿ってほぞ溝１４Ａ、１４Ｂがそれぞれ形成されている。そして、前記ほぞ溝１４Ａ、１４Ｂは平面視四角形状を呈しており、前記ほぞ溝１４Ａ、１４Ｂの横（溝の深さ方向と交差する方向）の寸法Ｌ１２はこの前記ほぞ溝１４Ａ、１４Ｂが形成されることにより残った両隣の各ほぞ１５Ａ１、１５Ａ２、１５Ｂ１、１５Ｂ２の横の寸法ｌ３とほぼ同じ寸法であるが、前記寸法Ｌ１２の方が寸法Ｌ１３より僅かに長く形成する。即ち、前記ほぞ溝１４Ａ、１４Ｂの前記横の寸法Ｌ１２（例えば、３５．５ｍｍ）は前記第２柱状体６の各側面１３Ａ、１３Ｂの平面視縦横の前記寸法Ｌ９（例えば、１０５ｍｍ）の約１／３（３分の１）の３５ｍｍより僅か長くし、且つ前記ほぞ１５Ａ１、１５Ａ２、１５Ｂ１、１５Ｂ２の前記横の寸法Ｌ１３（例えば、３４．７５ｍｍ）は前記寸法Ｌ９（例えば、１０５ｍｍ）の約１／３の３５ｍｍより僅かに短くして、前記ほぞ溝１４Ａ、１４Ｂの前記横の寸法Ｌ１２の方が前記ほぞ１５Ａ１、１５Ａ２、１５Ｂ１、１５Ｂ２の横の寸法Ｌ１３より僅かに長く形成する。
【００２５】
また、前記ほぞ溝１４Ａ、１４Ｂの深さ寸法Ｌ１５は前記ほぞ溝１０Ａ、１０Ｂの深さ寸法Ｌ１４と同じであり、前記ほぞ溝１４Ａ、１４Ｂが形成されることにより残った各ほぞ１５Ａ１、１５Ａ２、１５Ｂ１、１５Ｂ２の嵌合する方向の寸法と同じ寸法である。
【００２６】
また、前記第２柱状体５下部の外側端部に、底面視横の寸法が前記寸法Ｌ５（例えば、１０６ｍｍ）より僅か短い前記寸法Ｌ９（例えば、１０５ｍｍ）、縦の寸法が前記ほぞ１５Ａ２、１５Ｂ２の横の前記寸法Ｌ１３で、その下部が１０ｍｍだけ前記土台１の前面に位置するように、高さの寸法が前記寸法Ｌ１１（例えば、１２７ｍｍ）の垂下部１６が形成される。即ち、前記ほぞ１５Ａ１、１５Ｂ１及び前記ほぞ溝１４Ａ、１４Ｂの部分を除き、前記ほぞ１５Ａ２、１５Ｂ２に相当する部分のみを下方に延長して前記垂下部１６を形成する。
【００２７】
次に、以上のように構成することにより、前記土台１上に複数本の前記第１柱状体５及び前記第２柱状体６を順次互い違いとなるように連結結合させる動作について説明するが、初めに前記土台１上に前記第１柱状体５を取り付け固定する動作について説明する。
【００２８】
先ず、前記基礎体２に固定された前記土台１の前記第１嵌合溝３に前記第１柱状体５の前記第１嵌合部７を嵌合させると共に前記第２嵌合溝４に前記第２嵌合部８を嵌合させて取り付ける（図４及び図６参照）。このように、取り付けると、前記土台１の前記第１嵌合溝３の後端部から前記土台１の前端面との距離は、前記寸法Ｌ４（例えば、３１ｍｍ）＋前記寸法Ｌ７（例えば、５６ｍｍ）＋前記寸法Ｌ８（例えば、１７ｍｍ）の合計１０４ｍｍであるが、前記第１柱状体５の内外方向の寸法は前記寸法Ｌ９（例えば、１０５ｍｍ）であるので、前記第１柱状体５の前面は前記土台１の前面より、確実に例えば１ｍｍ以上（１ｍｍから２ｍｍ）突出することとなる。また、前記第１柱状体５の高さの寸法が前記寸法Ｌ２（例えば、１１７ｍｍ）で、前記第２嵌合部８の高さ寸法が前記寸法Ｌ１１（例えば、１２７ｍｍ）であって、前記第１柱状体５の下部（前記第２嵌合部８の下部）は１０ｍｍだけ前記基礎体２の前面に位置するように垂れ下がることとなって、前記土台１と前記基礎体２との間から雨が浸入することが防止できると共に前記第１柱状体５と前記土台１との間からも雨が浸入することが防止できる。
【００２９】
次に、以上のように、前記土台１上に前記第１柱状体５を取り付けた状態で、この第１柱状体５に前記第２柱状体６を取り付ける動作について説明する。即ち、前記第１柱状体５の右側面５Ｂの前記ほぞ溝１０Ｂに前記第２柱状体６の左側面１３Ａの内方の前記ほぞ１５Ａ１を嵌合させると共に、前記第１柱状体５の右側面５Ｂの外方の前記ほぞ１１Ｂ２を前記第２柱状体６の左側面１３Ａの前記ほぞ溝１４Ａに嵌合させる。
【００３０】
すると、前記第２柱状体５下部、即ち前記垂下部１６の下部が１０ｍｍ程度、前記基礎体２の前面に位置することになるため、前記土台１と前記基礎体２との間から雨が浸入することが防止できると共に前記第２柱状体６と前記土台１との間からも雨が浸入することが防止できる。また、前述したように前記第１柱状体５の前面は前記土台１の前面より、１ｍｍから２ｍｍ突出しているので、1ｍｍから２ｍｍの長さに前記横の寸法Ｌ１２（例えば、３５．５ｍｍ）と前記横の寸法Ｌ１３（例えば、３４．７５ｍｍ）との差である０．７５ｍｍを加えた１．７５から２．７５ｍｍの空間Ｓ３が前記垂下部１６と前記土台１との間に存することになるため、この空間Ｓ３の存在により前記第２柱状体６と前記土台１との間に雨が浸入しても雨滴は下方へ移動すると共に乾燥し易く、前記土台１及び前記第２柱状体６を木材で製作しても腐食が防止でき、耐久性が向上できる。
【００３１】
次に、前記第１柱状体５の右側に前記第２柱状体６を連結結合させた後に、この連結結合させた前記第２柱状体６の右の側面１３Ｂに２本目の前記第１柱状体５を連結結合させる動作について、説明する。
【００３２】
この場合、前述したように、前記土台１の初めの前記第１嵌合溝３に前記第１柱状体５の初めの前記第１嵌合部７を嵌合させると共に初めの前記第２嵌合溝４に初めの前記第２嵌合部８を嵌合させて取り付けたが、初めの前記第１嵌合部７が嵌合された初めの前記第１嵌合溝３と前記寸法Ｌ６を存して右方に開設された２番目の前記第１嵌合溝３に２本目の前記第１柱状体５の前記第１嵌合部７を嵌合させると共に２番目の前記第２嵌合溝４に２番目の前記第２嵌合部８を嵌合させて前記土台1に２本目の前記第１柱状体５を取り付ける。
【００３３】
このとき、同時に、前記第２柱状体６の右の前記側面１５Ｂ１の前記ほぞ溝１４Ｂに２本目の前記第１柱状体５の左の側面５Ａの外方の前記ほぞ１１Ａ２を嵌合させる共に、前記第２柱状体６の右の前記側面１３Ａの内方の前記ほぞ１５Ｂ１を２本目の前記第１柱状体６の左の前記側面５Ｂの前記ほぞ溝１０Ａに嵌合させる。
【００３４】
すると、前述したように、２本目の前記第１柱状体５の前面は前記土台１の前面より１ｍｍから２ｍｍ突出すると共に、前記第２嵌合部８の厚さと前記第２嵌合溝４の深さとが同じ寸法の前記寸法Ｌ８（例えば、１７ｍｍ）であるために、前記第２嵌合部８の内側面と前記第２嵌合溝４の凹部を形成する最奥面（外側面）との間に奥行が１ｍｍから２ｍｍの前記空間Ｓ２が形成され、この空間Ｓ２の存在により前記第１柱状体５と前記土台１との間に雨が浸入しても雨滴は下方へ移動すると共に乾燥し易く、前記土台１及び前記第１柱状体５を木材で製作しても腐食が防止でき、耐久性が向上できる。
【００３５】
また、２本目の前記第１柱状体５の下部（前記第２嵌合部８の下部）は１０ｍｍだけ前記基礎体２の前面に位置するように垂れ下がることとなって、前記土台１と前記基礎体２との間から雨が浸入することが防止できると共に前記第１柱状体５と前記土台１との間からも雨が浸入することが防止できる。
【００３６】
以下同様に、この２本目の前記第１柱状体５に２本目の第２柱状体６を連結するようにして、順次次々と前記第１柱状体５と前記第２柱状体６とを互い違いに連結結合することにより、面構造体である前記耐力壁を作製することができる。
【００３７】
そして、以上のように前記第１柱状体５と前記第２柱状体６とを互い違いに連結結合した場合に、前記第１柱状体５と前記第２柱状体６との間に雨が浸入しても、前記空間Ｓ２、Ｓ３の存在により、雨滴は下方へ移動すると共に乾燥し易く、前記第１柱状体５、前記第２柱状体６及び前記土台１を木材で製作しても腐食が防止でき、耐久性が向上できる。
【００３８】
なお、以上のように前記耐力壁を作製した後に、前記土台１の内側端部から前記寸法Ｌ３（例えば、４６ｍｍ）の部分の領域である前記支承部分１Ａ上には、前記床材（図示せず）を載置することができ、前記土台１を有効に利用することができる。
【００３９】
従って、以上の本発明の実施形態によれば、木造家屋であるログハウスにおいて、外部から雨が浸入するのを極力防止し、また浸入してもできる限り乾燥し易くして腐るのを防止することができ、耐久性が向上できる。
【００４０】
次に図８に基づいて、前記第１柱状体５及び前記第２柱状体６の表面が雨により濡れても、更に乾燥し易く、腐食しにくくするための実施形態について、説明する。先ず、前記第１柱状体５の他の実施形態について述べると、前記第１柱状体５の連結側の対向する両側面５Ａ、５Ｂに、前記ほぞ溝１０Ａ、１０Ｂを形成する面を除いて、上下方向に延びる複数条の凹凸部２０Ａ、２０Ｂを形成する。詳述すると、前記凹凸部２０Ａ、２０Ｂは上下方向に延びる凸部と凹部とがジグザグに交互に連続して形成され、且つ前記凸部の断面が一辺が例えば２ｍｍ前後の正三角形状を呈するように形成される。
【００４１】
この場合において、前記第１柱状体５の連結側の対向する一方の前記側面５Ａに形成された前記凹凸部２０Ａの前記凸部の頂点と他方の前記側面５Ｂに形成された前記凹凸部２０Ｂの前記凸部の頂点との間の寸法が、前記寸法Ｌ９である。
【００４２】
また、前記第１柱状体５の連結側と直交する内側面５Ｃ、外側面５Ｄに、上下方向に延びる凹凸部２１Ａ、２１Ｂを形成する。詳述すると、前記凹凸部２１Ａ、２１Ｂは上下方向に延びる凸部と凹部とがジグザグに交互に連続して形成され、且つ前記凸部の断面が一辺が例えば２ｍｍ前後の正三角形状を呈するように形成される。
【００４３】
この場合において、前記第１柱状体５の連結側と直交する一方の前記内側面５Ｃに形成された前記凹凸部２１Ａの前記凸部の頂点と他方の前記外側面５Ｄに形成された前記凹凸部２１Ｂの前記凸部の頂点との間の寸法が、前記寸法Ｌ９である。
【００４４】
なお、前記第１柱状体５の前記凹凸部２０Ａ、２０Ｂ、２１Ａ、２１Ｂの前記凸部の断面形状は、正三角形状に限らず、他の三角形状でも、四角形状等の多角形状でもよい。
【００４５】
次に、前記第２柱状体６の他の実施形態について述べると、前記第２柱状体６の連結側の対向する両側面１３Ａ、１３Ｂに、前記ほぞ溝１４Ａ、１４Ｂを形成する面を除いて、上下方向に延びる複数条の凹凸部２２Ａ、２２Ｂを形成する。詳述すると、前記凹凸部２２Ａ、２２Ｂは上下方向に延びる凸部と凹部とがジグザグに交互に連続して形成され、且つ前記凸部の断面が一辺が例えば２ｍｍ前後の正三角形状を呈するように形成される。
【００４６】
この場合において、前記第２柱状体６の連結側の対向する一方の前記側面１３Ａに形成された前記凹凸部２２Ａの前記凸部の頂点と他方の前記側面１３Ｂに形成された前記凹凸部２２Ｂの前記凸部の頂点との間の寸法が、前記寸法Ｌ９である。
【００４７】
また、前記第２柱状体５の連結側と直交する内側面１３Ｃ、外側面１３Ｄに、凹凸部２３Ａ、２３Ｂを形成する。詳述すると、前記凹凸部２３Ａ、２３Ｂは凸部と凹部とがジグザグに交互に連続して形成され、且つ前記凸部の断面が一辺が例えば２ｍｍ前後の正三角形状を呈するように形成される。
【００４８】
この場合において、前記第２柱状体５の連結側と直交する一方の前記内側面１３Ｃに形成された前記凹凸部２３Ａの前記凸部の頂点と他方の前記外側面１３Ｄに形成された前記凹凸部２３Ｂの前記凸部の頂点との間の寸法が、前記寸法Ｌ９である。
【００４９】
なお、前記第１柱状体５及び前記第２柱状体６の前記凹凸部２０Ａ、２０Ｂ、２１Ａ、２１Ｂ、及び２２Ａ、２２Ｂ、２３Ａ、２３Ｂを形成する各凸部、各凹部は、必ずしも規則正しく、交互に形成されている必要はない。即ち、各凸部や各凹部の面積の大きさや前記凸部の高さ又は凹部の深さが同じでなくともよく、また各凸部と各凹部とは連続して交互に形成してもよく又は間隔を置いて形成してもよい。
【００５０】
また、前記第２柱状体６の前記凹凸部２２Ａ、２２Ｂ、２３Ａ、２３Ｂの前記凸部の断面形状は、正三角形状に限らず、他の三角形状でも、四角形状等の多角形状でもよい。
【００５１】
以上のように、図８に示す前記第１柱状体５及び前記第２柱状体６の他の実施形態によれば、前記第１柱状体５の前記ほぞ溝１０Ａ、１０Ｂを形成する面を除いて前記側面５Ａ、５Ｂに、また前記内側面５Ｃ、前記外側面５Ｄに前記凹凸部２０Ａ、２０Ｂ、２１Ａ、２１Ｂを形成すると共に、前記第２柱状体５の前記ほぞ溝１４Ａ、１４Ｂを形成する面を除いて前記側面１３Ａ、１３Ｂに、また前記内側面１３Ｃ、前記外側面１３Ｄに前記凹凸部２２Ａ、２２Ｂ、２３Ａ、２３Ｂを形成したから、前記第１柱状体５及び前記第２柱状体６の表面積を増加することができて、前記ログハウス外部からの雨の浸入により前記第１柱状体５及び前記第２柱状体６の表面が濡れても、更に乾燥し易く、腐食しにくくなり、耐久性の向上を図ることができる。
【００５２】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００５３】
１                  土台
２                  基礎体
３                  第１嵌合溝
４                  第２嵌合溝
５                  第１柱状体
６                  第２柱状体
７                  第１嵌合部
８                  第２嵌合部
１０Ａ、１０Ｂ      ほぞ溝
１１Ａ１、１１Ｂ１  ほぞ
１４Ａ、１４Ｂ      ほぞ溝
１５Ａ１、１５Ｂ１  ほぞ
２０Ａ、２０Ｂ      凹凸部
２１Ａ、２１Ｂ      凹凸部
２２Ａ、２２Ｂ      凹凸部
２３Ａ、２３Ｂ      凹凸部
【図１】
2019023410.tif 000003
【図２】
2019023410.tif 000004
【図３】
2019023410.tif 000005
【図４】
2019023410.tif 000006
【図５】
2019023410.tif 000007
【図６】
2019023410.tif 000008
【図７】
2019023410.tif 000009
【図８】
2019023410.tif 000010